(57)【要約】【課題】アナログＲＧＢ信号のためのアナログインタフェースとしてＤＶＩ−Ｉ型コネクタが用いられていない場合でも、アナログとデジタルとを正確に判断して切り換えること。【解決手段】アナログインタフェースおよびデジタルインタフェースを備え、アナログＲＧＢ信号またはデジタル信号のいずれかを切り換えて表示するように構成される表示装置における表示制御方法であって、アナログＲＧＢ信号の有無を判断し、それが有であると判断されたときに、入力をアナログＲＧＢ信号に切り換えて表示し、アナログＲＧＢ信号が無であると判断されたときに、デジタル信号であるＤＶＩ−Ｄ信号の有無を判断し、それが有であると判断されたときに、入力をデジタル信号に切り換えて表示し、デジタル信号が無であると判断されたときに、所定の時間が経過したときに節電モードを設定する。【選択図】  図６
2009047940.tif 000002
【特許請求の範囲】
【請求項１】
アナログＲＧＢ信号を入力するためのアナログインタフェースおよびＤＶＩで規定されるデジタル信号を入力するためのデジタルインタフェースを備え、前記アナログインタフェースから入力されるアナログＲＧＢ信号または前記デジタルインタフェースから入力されるデジタル信号のいずれかを切り換えてその画像を表示面に表示するように構成される表示装置における表示制御方法であって、
前記アナログＲＧＢ信号の有無を判断し、前記アナログＲＧＢ信号が有と判断されたときに、入力をアナログＲＧＢ信号に切り換えて表示し、
前記アナログＲＧＢ信号が無と判断されたときに、前記デジタル信号の有無を判断し、前記デジタル信号が有と判断されたときに、入力をデジタル信号に切り換えて表示し、
前記アナログＲＧＢ信号および前記デジタル信号のいずれもが無と判断されたときに、所定の時間が経過したときに節電モードを設定する、
ことを特徴とする表示装置における表示制御方法。
【請求項２】
アナログＲＧＢ信号を入力するためのアナログインタフェースおよびＤＶＩで規定されるデジタル信号を入力するためのデジタルインタフェースを備え、前記アナログインタフェースから入力されるアナログＲＧＢ信号または前記デジタルインタフェースから入力されるデジタル信号のいずれかを切り換え手段により切り換えてその画像を表示面に表示するように構成される表示装置であって、
前記アナログＲＧＢ信号の有無を判断する手段と、
前記デジタル信号の有無を判断する手段と、
前記アナログＲＧＢ信号が有と判断されたときに、前記切り換え手段をアナログＲＧＢ信号に切り換える手段と、
前記デジタル信号が有と判断されたときに、前記切り換え手段をデジタル信号の側に切り換える手段と、
前記アナログＲＧＢ信号および前記デジタル信号のいずれもが無と判断されたときに、所定の時間が経過した後で節電モードを設定する手段と、
を有することを特徴とする表示装置。
【請求項３】
前記デジタル信号は、ＤＶＩ−Ｄ信号である、
請求項２記載の表示装置。
【請求項４】
前記アナログＲＧＢ信号の有無の判断、および前記デジタル信号の有無の判断は、当該表示装置が使用のために最初に電源がオンされたときにのみ行うとともに、
それらの判断によって切り換えられた状態をメモリに記憶しておき、２回目以降に電源がオンされたときには、前記メモリに記憶された状態と一致するように切り換えて表示する、
請求項３記載の表示装置。
【請求項５】
前記デジタル信号の有無を判断する手段は、ＤＤＣ端子に所定の電圧が印加されているか否かによって前記デジタル信号の有無を判断する、
請求項４記載の表示装置。
【請求項６】
前記アナログＲＧＢ信号の有無を判断する手段は、水平同期信号および垂直同期信号のいずれもが出力されているときに、前記アナログＲＧＢ信号が有であると判断する、
請求項５記載の表示装置。
【請求項７】
アナログＲＧＢ信号を入力するためのアナログインタフェースおよびＤＶＩで規定されるデジタル信号を入力するためのデジタルインタフェースを備え、前記アナログインタフェースから入力されるアナログＲＧＢ信号または前記デジタルインタフェースから入力されるデジタル信号のいずれかを切り換え手段により切り換えてその画像を表示面に表示するように構成される表示装置であって、
前記アナログＲＧＢ信号の有無を判断する手段と、
前記デジタル信号の有無を判断する手段と、
前記アナログＲＧＢ信号が有と判断されたときに、前記切り換え手段をアナログＲＧＢ信号に切り換える手段と、
前記デジタル信号が有と判断されたときに、前記切り換え手段をデジタル信号に切り換える手段と、を有し、
前記アナログＲＧＢ信号の有無の判断、および前記デジタル信号の有無の判断は、当該表示装置が使用のために最初に電源がオンされたときにのみ行うとともに、
それらの判断によって切り換えられた状態をメモリに記憶しておき、２回目以降に電源がオンされたときには、前記メモリに記憶された状態と一致するように切り換えて表示する、
ことを特徴とする表示装置。
【発明の詳細な説明】
【技術分野】
【０００１】
本発明は、アナログＲＧＢ信号を入力するためのアナログインタフェースおよびＤＶＩで規定されるデジタル信号を入力するためのデジタルインタフェースを備えた表示装置における表示制御方法、および表示装置に関する。
【背景技術】
【０００２】
従来より、コンピュータや映像機器から出力される画像信号（映像信号）を表示するために、ＣＲＴディスプレイ、液晶ディスプレイ、またはプラズマディスプレイなどの種々の方式の表示装置が用いられている。
【０００３】
これらの表示装置において、アナログＲＧＢ信号を入力するためのアナログインタフェースと、ＤＶＩ（Digital Visual Interface) で規定されるデジタル信号を入力するためのデジタルインタフェースとの両方を備えたものが多く用いられている。
【０００４】
なお、このようなアナログインタフェースの代表としてアナログＲＧＢ端子があり、これにより、Ｒ、Ｇ、Ｂの各色成分のアナログ信号（映像信号）と制御信号とが送られる。また、デジタルインタフェースの代表としてＤＶＩ−Ｄ端子があり、これにより、Ｒ、Ｇ、Ｂの各色成分のデジタル信号（映像信号）と制御信号とが送られる。
【０００５】
これら両方のインタフェースを備えた表示装置では、通常、表示装置に入力される信号に応じて、いずれかのインタフェースの側に切り換える必要がある。例えば、コンピュータからの画像信号がデジタルインタフェースを介して入力された場合にはデジタル信号の側に切り換え、アナログインタフェースを介して入力された場合にはアナログＲＧＢ信号の側に切り換える必要がある。これらのインタフェースの切り換えは、コンピュータシステムのインストールの際の初期設定とともにＳＥ（システムエンジニア）が行うことが多いが、ユーザ自身が初期設定を行いかつインタフェースの切り換えを行う場合もある。
【０００６】
また、特許文献１には、コネクターがＤＶＩ−Ｄ型であるかまたはＤＶＩ−Ｉ型であるかを検出するためのコネクター検出部を設け、その検出結果によって映像信号および同期信号を切り換える装置が開示されている。コネクター検出部は、ＤＶＩ−Ｉ型コネクタのＣ５ピンがグランドレベルに落ちているときに、アナログインタフェースが接続されていると判断する。
【特許文献１】特開２００２−１６９５３２
【発明の開示】
【発明が解決しようとする課題】
【０００７】
ところが、ユーザがインタフェースの切り換えを行う場合には、コンピュータなどに附属するリモコン機器やオペレーションキーを用いて切り換え作業を行うことになるが、慣れないユーザにとって切り換え作業が旨くいかず、システムの電源をオンにしても表示装置に何も表示されないことがある。そのような場合にはユーザは不便を感じることとなり、ＳＥの助けを借りなくてはならない。
【０００８】
また、特許文献１の装置では、ＤＶＩ−Ｉ型コネクタのＣ５ピンがグランドレベルに落ちているときにアナログ信号の側に切り換えるが、ＤＶＩ−Ｉ型コネクタにコネクタおよびケーブルが接続されていても必ずしもアナログＲＧＢ信号が出力されているとは限らないため、正確な切り換えが行われないことがある。例えば、ＤＶＩ−Ｄ型およびＤＶＩ−Ｉ型の両方のコネクタにケーブルが接続されているが、デジタル信号のみが出力されている場合に、コネクター検出部はアナログであると判断して切り換えるので、表示面には映像が表示されない。
ーまた、特許文献１の装置では、アナログインタフェースとしてＤＶＩ−Ｉ型コネクタを用いることが前提となっており、例えば１５ピンアナログＲＧＢ端子を用いた場合には適用できない。
【０００９】
本発明は、上述の問題に鑑みてなされたもので、アナログＲＧＢ信号のためのアナログインタフェースとしてＤＶＩ−Ｉ型コネクタが用いられていない場合でも、アナログとデジタルとを正確に判断して切り換えることのできる表示制御方法および表示装置を提供することを目的とする。
【課題を解決するための手段】
【００１０】
本発明に係る制御方法は、アナログＲＧＢ信号を入力するためのアナログインタフェースおよびＤＶＩで規定されるデジタル信号を入力するためのデジタルインタフェースを備え、前記アナログインタフェースから入力されるアナログＲＧＢ信号または前記デジタルインタフェースから入力されるデジタル信号のいずれかを切り換えてその画像を表示面に表示するように構成される表示装置における表示制御方法であって、前記アナログＲＧＢ信号の有無を判断し、前記アナログＲＧＢ信号が有と判断されたときに、入力をアナログＲＧＢ信号に切り換えて表示し、前記アナログＲＧＢ信号が無と判断されたときに、前記デジタル信号の有無を判断し、前記デジタル信号が有と判断されたときに、入力をデジタル信号に切り換えて表示し、前記アナログＲＧＢ信号および前記デジタル信号のいずれもが無と判断されたときに、所定の時間が経過したときに節電モードを設定する。
【００１１】
これによって、アナログＲＧＢ信号またはデジタル信号の判断が正確に行われ、自動的に適切な側に切り換えられる。なお、デジタル信号はＤＶＩ−Ｄ信号であってもよい。
【００１２】
また、好ましくは、前記アナログＲＧＢ信号の有無の判断、および前記デジタル信号の有無の判断は、当該表示装置が使用のために最初に電源がオンされたときにのみ行うとともに、それらの判断によって切り換えられた状態をメモリに記憶しておき、２回目以降に電源がオンされたときには、前記メモリに記憶された状態と一致するように切り換えて表示する。
【００１３】
これによって、最小の処理によってアナログＲＧＢ信号かデジタル信号かの判断が行われる。
【発明の効果】
【００１４】
本発明によると、アナログＲＧＢ信号のためのアナログインタフェースとしてＤＶＩ−Ｉ型コネクタが用いられていない場合でも、アナログとデジタルとを正確に判断して切り換えることができる。
【発明を実施するための最良の形態】
【００１５】
図１は本発明に係るコンピュータシステム１の構成の例を示す図、図２は表示装置１２の機能構成の例を示すブロック図、図３は表示装置１２のスケーラＳＬ（制御部３０）の機能構成の例を示すブロック図、図４は同期検出部の動作の様子を説明する図、図５はＤＤＣ検出部の構成の例を示す図、図６は表示装置１２における表示制御の手順の例を示すフローチャート、図７は節電モードに入る前の処理の他の例を示すフローチャートである。
【００１６】
図１において、コンピュータシステム１は、コンピュータ本体１１、表示装置１２、キーボード１３、およびマウス１４などから構成される。コンピュータ本体１１には、ＣＰＵボード（マザーボード）、メモリボード、グラフィックボード、サウンドボード、インタフェースボード、その他のボード、および電源装置などが内蔵され、また、ハードディスクドライブ、ＣＤ−ＲＯＭやＤＶＤ−ＲＯＭなどのディスクドライブ、その他のメディアドライブなどが搭載されている。また、表示装置１２、キーボード１３、マウス１４などとの接続のための、コネクタを含む種々のインタフェース、ＬＡＮやインターネットなどに接続するためのネットワークインタフェースが備えられる。
【００１７】
本実施形態において、コンピュータ本体１１には、表示装置１２との接続のために、Ｄ−ｓｕｂ１５ピンのアナログＲＧＢ端子２１ａ、およびＤＶＩ−Ｄ端子２２ａが備えられている。また、コンピュータ本体１１には電源スイッチ２３が設けられている。
【００１８】
表示装置１２は、表示面として液晶ディスプレイ（液晶パネル）を用いたものである。表示装置１２は、アナログＲＧＢ信号を入力するためのアナログインタフェース３１、およびＤＶＩで規定されるデジタル信号を入力するためのデジタルインタフェース３２を備える。本実施形態では、アナログインタフェースのためのコネクタとして、１５ピンのアナログＲＧＢ端子３１ａが備えられており、デジタルインタフェースのためのコネクタとして、ＤＶＩ−Ｄ端子３２ａが備えられている。
【００１９】
アナログＲＧＢ端子３１ａおよびＤＶＩ−Ｄ端子３２ａには、適当なケーブルＣＶを用いてコンピュータ本体１１または他の機器の映像信号出力端子と接続することが可能である。
【００２０】
アナログＲＧＢ端子３１ａは、Ｒ（Red)、Ｇ（GREEN)、Ｂ（Blue) の各色の濃度（階調度) を電圧の大きさで示した信号を受け渡しするものであり、これ以外に垂直同期信号および水平同期信号の授受を行う。
【００２１】
ＤＶＩ−Ｄ端子（ＤＶＩ−Ｄコネクタ）３２ａは、ＤＶＩ−Ｉ端子およびＤＶＩ−Ａ端子などとともに、ＤＤＷＧ（Digital Display Working Group)が提案した映像出力インタフェースの標準規格である。ＤＶＩ規格は、ＴＭＤＳ（Transition Minimized Differential Signaling)というシリアルフォーマットによる技術をベースとする。ＤＶＩ−Ｄ端子はデジタル専用であり、ＤＶＩ−Ｉ端子はデジタルおよびアナログ兼用であり、ＤＶＩ−Ａ端子はアナログ専用である。シングルモードおよびデュアルモードがある。
【００２２】
表示装置１２は、アナログインタフェース３１から入力されるアナログＲＧＢ信号またはデジタルインタフェース３２から入力されるデジタル信号のいずれかを切り換えて、その画像を表示面ＨＧに表示する。
【００２３】
また、表示装置１２には、種々の設定または調整のために、複数の操作ボタン３７が設けられている。
【００２４】
図２において、表示装置１２は、制御部３０、アナログインタフェース３１、デジタルインタフェース３２、切換え部３３、駆動回路３５、表示パネル３６、操作ボタン３７、およびメモリＭＲなどからなる。
【００２５】
制御部３０は、アナログＲＧＢ信号Ｓ１またはデジタル信号Ｓ２のいずれかの側に切り換えるための制御信号Ｓ３を切換え部３３に出力し、これによって表示制御を行う他、表示装置１２の全体の制御を行う。制御部３０には、アナログインタフェース３１から、垂直同期信号ＶＳおよび水平同期信号ＨＳが入力されており、これらの入力に基づいて、アナログＲＧＢ信号Ｓ１の有無を判定する。また、デジタルインタフェース３２から、ＤＶＩ−Ｄ端子３２ａの１４ピン（ＤＤＣ端子）のＤＤＣ信号が入力されており、これに基づいてデジタル信号Ｓ２の有無を判定する。
【００２６】
制御部３０は、メモリＭＲに設けられたパワーオンフラグ３０４および切換メモリ３０５と接続され、それらに記憶された内容を読み出し、またはそれらにデータを書き込む。メモリＭＲは、例えば、フラッシュメモリ、ＥＥＰＲＯＭなどのように、電源がオフであってもデータが消えない書き換え可能なメモリによって構成される。
【００２７】
パワーオンフラグ３０４は、表示装置１２が製品として工場から出荷される段階において、フラグが「１」に設定されており、ユーザによって最初に電源がオンされたときに、フラグが「０」にリセットされる。これによって、表示装置１２が使用のために最初に電源がオンされたかどうかが認識される。切換メモリ３０５は、制御部３０が切換え部３３に対して出力した制御信号Ｓ３の内容を記憶する。２回目以降に電源がオンされたときには、この切換メモリ３０５の内容にしたがって表示制御が行われる。制御部３０の動作については後で詳しく説明する。
【００２８】
アナログインタフェース３１およびデジタルインタフェース３２は、上に述べたように、アナログＲＧＢ信号Ｓ１またはデジタル信号Ｓ２であるＤＶＩ信号を入力するためのインタフェースである。これらは、アナログＲＧＢ端子３１ａまたはＤＶＩ−Ｄ端子３２ａを含んでおり、それ自体は公知の回路である。
【００２９】
切換え部３３は、制御部３０の制御によって、アナログインタフェース３１から入力されるアナログＲＧＢ信号Ｓ１またはデジタルインタフェース３２から入力されるデジタル信号Ｓ２のいずれかに切り換える。なお、切換え部３３は、映像信号および同期信号のいずれをも同時に切り換える。
【００３０】
駆動回路３５は、切換え部３３から出力された信号に基づいて表示パネル３６を駆動する。つまり、駆動回路３５は、アナログＲＧＢ信号Ｓ１またはデジタル信号Ｓ２のうちの選択された信号に基づいて、表示パネル３６を駆動して映像を表示させる。
【００３１】
操作ボタン３７は、表示装置１２における画像および音の調整、動作モードの設定などを行うために用いられる。例えば、アナログＲＧＢ信号Ｓ１とデジタル信号Ｓ２との切り換えを手動で行う際に操作ボタン３７が用いられる。操作ボタン３７として、表示装置１２の電源をオンオフするための操作スイッチを含めてもよい。しかし、コンピュータ本体１１の制御によって電源がオンオフされるものであってもよく、また、表示装置１２の電源がコンピュータ本体１１から供給されるものであってもよい。
【００３２】
なお、制御部３０、切換え部３３、および駆動回路３５の機能は、１つのＬＳＩで構成されるスケーラＳＬにより実現することが可能である。一般に、スケーラＳＬは、入力された信号（映像信号）をチェックするとともに、信号の解像度や形式を変換する。スケーラＳＬには、ＧＰＩＯ（General Purpose Input Output) 端子が複数個設けられており、これらの端子に入力された信号の状態を判断して出力することが可能である。例えば、図５に示すように、ＤＶＩ−Ｄ端子３２ａの１４ピンをスケーラＳＬのＧＰＩＯ端子の１つに接続しておくことによって、その１４ピンに５ボルトの電圧が印加されているか否かが判定され、その判定結果に基づいた出力がスケーラＳＬで得られる。なお、このようなスケーラＳＬのＧＰＩＯ端子の処理動作それ自体については公知である。
【００３３】
図３において、スケーラＳＬ（制御部３０）は、同期検出部３０１、ＤＤＣ検出部３０２、入力判定部３０３、および節電処理部３０６などを有する。パワーオンフラグ３０４および切換メモリ３０５は、メモリＭＲに設けられている。
【００３４】
同期検出部３０１は、アナログインタフェース３１から入力される垂直同期信号ＶＳおよび水平同期信号ＨＳに基づいて、アナログＲＧＢ信号Ｓ１の有無を判定する。例えば、図４に示すように、垂直同期信号ＶＳおよび水平同期信号ＨＳのそれぞれの有無を検出するとともに、その両方が有りのときに、アナログＲＧＢ信号Ｓ１が有ることを示す信号を出力する。
【００３５】
ＤＤＣ検出部３０２は、ＤＶＩ−Ｄ端子３２ａの１４ピンに入力されるプラス５ボルトのＤＤＣ信号に基づいて、デジタル信号Ｓ２の有無を判定する。例えば、ＤＶＩ−Ｄ端子３２ａの１４ピンに接続されるラインの電圧がしきい値よりも大きい場合に、デジタル信号Ｓ２が有ることを示す信号を出力する。
【００３６】
入力判定部３０３は、同期検出部３０１によってアナログＲＧＢ信号Ｓ１が有と判断されたときに、切換え部３３をアナログＲＧＢ信号Ｓ１の側に切り換えるための制御信号Ｓ３を出力する。また、ＤＤＣ検出部３０２によってデジタル信号Ｓ２が有と判断されたときに、切換え部３３をデジタル信号Ｓ２の側に切り換えるための制御信号Ｓ３を出力する。切換え部３３は、制御信号Ｓ３に基づいて、アナログＲＧＢ信号Ｓ１またはデジタル信号Ｓ２のいずれかの側に切り換える。
【００３７】
また、制御信号Ｓ３を出力したときに、その内容に基づいて、切換メモリ３０５の内容を書き変える。また、ユーザによって最初に電源がオンされてパワーオンフラグ３０４の内容を読み出した後、制御信号Ｓ３を出力したときには、パワーオンフラグ３０４の内容を「０」にリセットする。
【００３８】
また、アナログＲＧＢ信号Ｓ１およびデジタル信号Ｓ２のいずれも無であり、その状態が所定の時間継続した場合に、節電処理部３０６に対して、節電モードを設定する節電信号Ｓ４を出力する。
【００３９】
節電処理部３０６は、節電信号Ｓ４が入力されると、表示装置１２の回路のうちの予め設定された処理ブロックについての電源の供給を停止する。したがって、節電モードとなった場合に、電源の供給が停止されて処理が行われない処理ブロックと、電源の供給が継続されて処理が継続される処理ブロックとが併存することとなる。
【００４０】
これら図２、図３、図５およびその説明は、表示装置１２における機能を実現するための構成例を説明するものであり、それらを適宜取捨選択しまたは組み合わせて実施することが可能である。
【００４１】
例えば、図５に示すようにＤＶＩ−Ｄ端子３２ａの１４ピンをＬＳＩであるスケーラＳＬのＧＰＩＯ端子に接続した場合には、図３に示すＤＤＣ検出部３０２および入力判定部３０３は、ＧＰＩＯ端子から入力されたＤＤＣ信号に基づいて処理を行うこととなる。
【００４２】
図６において、表示装置１２の電源が初めてオンされると（＃１１）、パワーオンフラグ３０４が「１」であるか否かの判断が行われる（＃１２）。フラグが「１」であれば、表示制御についての初期設定を行うために、アナログＲＧＢ信号Ｓ１の有無をチェックする（＃１３）。アナログＲＧＢ信号Ｓ１が有である場合に、節電モードが設定されていればそれを解除し（＃１７）、アナログＲＧＢ信号Ｓ１の側に切り換え（＃１８）、切り換え内容を切換メモリ３０５に記憶する（＃１９）。
【００４３】
アナログＲＧＢ信号Ｓ１が無である場合に、デジタル信号Ｓ２の有無をチェックする（＃１４）。デジタル信号Ｓ２が有である場合に、節電モードが設定されていればそれを解除し（＃２０）、デジタル信号Ｓ２の側に切り換え（＃２１）、切り換え内容を切換メモリ３０５に記憶する（＃２２）。なお、ステップ＃１９または２２において切り換え内容を切換メモリ３０５に記憶したときに、パワーオンフラグ３０４を「０」にリセットする。
【００４４】
アナログＲＧＢ信号Ｓ１およびデジタル信号Ｓ２がいずれも無である場合に、設定された時間Ｔ１が経過すると（＃１５でイエス）、節電信号Ｓ４を出力して節電モードを設定する（＃１６）。なお、時間Ｔ１の間においてアナログＲＧＢ信号Ｓ１およびデジタル信号Ｓ２の有無が繰り返して判断されることとなり、その間にアナログＲＧＢ信号Ｓ１またはデジタル信号Ｓ２が有とならない限り、最初にアナログＲＧＢ信号Ｓ１およびデジタル信号Ｓ２のいずれもが無であると判断されてから時間Ｔ１が経過した時点で節電モードが設定される。
【００４５】
パワーオンフラグ３０４が「０」であれば、初期の表示制御は既に行われているので、切換メモリ３０５の内容を読み出し、その内容に基づいてアナログＲＧＢ信号Ｓ１またはデジタル信号Ｓ２のいずれかに切り換える（＃２３）。
【００４６】
図７において、アナログＲＧＢ信号Ｓ１もデジタル信号Ｓ２も無である場合に、設定された時間Ｔ２が経過すると（＃１５Ａでイエス）、まず、映像信号が入力されていないことを示すメッセージを表示面ＨＧに表示し（＃１５Ｂ）、さらに設定された時間Ｔ３が経過した時点で（＃１５Ｃでイエス）、節電モードを設定する（＃１６）。この場合の時間Ｔ２，Ｔ３は、それぞれ、例えば、１０秒、３０秒程度としてよい。
【００４７】
このように、本実施形態において、表示装置１２の電源が最初に投入されると、まず、アナログＲＧＢ信号Ｓ１の有無をチェックする。これと実質的には同時に、デジタル信号Ｓ２の有無をチェックする。このチェック結果に基づいて、表示装置１２に入力される映像信号の種類を自動的に正確に判断し、適切な切り換えが行われる。
【００４８】
本実施形態では、コンピュータ本体１１など、表示装置１２の外部から入力される映像信号に実際に現れる信号または電圧を監視してその有無を判断しているので、正確な判断が行える。また、コネクタの形式または種類が異なるものであっても、その判断を正確に行うことが可能である。
【００４９】
本実施形態では、アナログＲＧＢ信号Ｓ１の同期信号およびデジタル信号Ｓ２のＤＤＣ信号を監視して判断するので、節電モードが設定された後も、これらの判断を節電モードに入っていない処理ブロックによって実行することができ、節電効果を向上させることができる。また、節電モードの際に実際に節電モードに入る処理ブロックと節電モードに入らない処理ブロックとを設定するための設計の自由度が高い。
【００５０】
上の実施形態において、図６および図７に示すフローチャートの手順を、１つのＣＰＵがプログラムを実行することによって実施してもよい。その場合において、その手順がＣＰＵによる一連の処理の流れの中で行われることとなり、またＣＰＵの処理は高速であるから、ステップ＃１３と１４の処理、つまり、アナログＲＧＢ信号Ｓ１の有無の判断とデジタル信号Ｓ２の有無の判断とが実質的に同時に行われることとなる。
【００５１】
このように、表示装置１２における表示制御は、種々の半導体素子によってハードウエア的に、またはＣＰＵがプログラムを実行することによってソウトウエア的に、またはそれらの組み合わせによって、それぞれ実現することが可能である。
【００５２】
上に述べた実施形態において、ＤＶＩ規格のインタフェースとして、ＤＶＩ−Ｄ端子以外の端子（コネクタ）またはインタフェースを用いることが可能である。上の例では、コンピュータ本体１１の映像信号出力端子と表示装置１２のアナログＲＧＢ端子３１ａまたはＤＶＩ−Ｄ端子３２ａをケーブルＣＶで接続した例を接続したが、コンピュータ本体１１以外の他の機器に接続するようにしてもよい。
【００５３】
上に述べた実施形態の表示装置１２またはコンピュータシステム１において、その全体または各部の構成、構造、形状、寸法、個数、処理の内容または順序などは、本発明の趣旨に沿って適宜変更することができる。
【００５４】
本実施形態には次に記載する形態も含まれる。
（付記１）
アナログＲＧＢ信号を入力するためのアナログインタフェースおよびＤＶＩで規定されるデジタル信号を入力するためのデジタルインタフェースを備え、前記アナログインタフェースから入力されるアナログＲＧＢ信号または前記デジタルインタフェースから入力されるデジタル信号のいずれかを切り換えてその画像を表示面に表示するように構成される表示装置における表示制御方法であって、
前記アナログＲＧＢ信号の有無を判断し、前記アナログＲＧＢ信号が有と判断されたときに、入力をアナログＲＧＢ信号に切り換えて表示し、
前記アナログＲＧＢ信号が無と判断されたときに、前記デジタル信号の有無を判断し、前記デジタル信号が有と判断されたときに、入力をデジタル信号に切り換えて表示し、
前記アナログＲＧＢ信号および前記デジタル信号のいずれもが無と判断されたときに、所定の時間が経過したときに節電モードを設定する、
ことを特徴とする表示装置における表示制御方法。
（付記２）
前記デジタル信号は、ＤＶＩ−Ｄ信号である、
付記１記載の表示装置における表示制御方法。
（付記３）
前記アナログＲＧＢ信号の有無の判断、および前記デジタル信号の有無の判断は、当該表示装置が使用のために最初に電源がオンされたときにのみ行うとともに、
それらの判断によって切り換えられた状態をメモリに記憶しておき、２回目以降に電源がオンされたときには、前記メモリに記憶された状態と一致するように切り換えて表示する、
付記２記載の表示装置における表示制御方法。
（付記４）
前記デジタル信号の有無を判断するに際し、ＤＤＣ端子に所定の電圧が印加されているときに前記デジタル信号が有であると判断し、ＤＤＣ端子に所定の電圧が印加されていないときに前記デジタル信号が無であると判断する、
付記３記載の表示装置における表示制御方法。
（付記５）
前記アナログＲＧＢ信号の有無を判断するに際し、水平同期信号および垂直同期信号のいずれもが出力されているときに、前記アナログＲＧＢ信号が有であると判断する、
付記４記載の表示装置における表示制御方法。
（付記６）
前記アナログＲＧＢ信号の有無の判断と、前記デジタル信号の有無の判断とを、ＣＰＵにおける一連の処理の流れの中で行うことにより実質的に同時に行う、
付記４または５記載の表示装置における表示制御方法。
（付記７）
アナログＲＧＢ信号を入力するためのアナログインタフェースおよびＤＶＩで規定されるデジタル信号を入力するためのデジタルインタフェースを備え、前記アナログインタフェースから入力されるアナログＲＧＢ信号または前記デジタルインタフェースから入力されるデジタル信号のいずれかを切り換え手段により切り換えてその画像を表示面に表示するように構成される表示装置であって、
前記アナログＲＧＢ信号の有無を判断する手段と、
前記デジタル信号の有無を判断する手段と、
前記アナログＲＧＢ信号が有と判断されたときに、前記切り換え手段をアナログＲＧＢ信号に切り換える手段と、
前記デジタル信号が有と判断されたときに、前記切り換え手段をデジタル信号の側に切り換える手段と、
前記アナログＲＧＢ信号および前記デジタル信号のいずれもが無と判断されたときに、所定の時間が経過した後で節電モードを設定する手段と、
を有することを特徴とする表示装置。
（付記８）
前記デジタル信号は、ＤＶＩ−Ｄ信号である、
付記７記載の表示装置。
（付記９）
前記アナログＲＧＢ信号の有無の判断、および前記デジタル信号の有無の判断は、当該表示装置が使用のために最初に電源がオンされたときにのみ行うとともに、
それらの判断によって切り換えられた状態をメモリに記憶しておき、２回目以降に電源がオンされたときには、前記メモリに記憶された状態と一致するように切り換えて表示する、
付記８記載の表示装置。
（付記１０）
前記デジタル信号の有無を判断する手段は、ＤＤＣ端子に所定の電圧が印加されているか否かによって前記デジタル信号の有無を判断する、
付記９記載の表示装置。
（付記１１）
前記アナログＲＧＢ信号の有無を判断する手段は、水平同期信号および垂直同期信号のいずれもが出力されているときに、前記アナログＲＧＢ信号が有であると判断する、
付記１０記載の表示装置。
（付記１２）
前記アナログＲＧＢ信号の有無の判断と、前記デジタル信号の有無の判断とを、ＣＰＵにおける一連の処理の流れの中で行うことにより実質的に同時に行う、
付記１０または１１記載の表示装置。
（付記１３）
アナログＲＧＢ信号を入力するためのアナログインタフェースおよびＤＶＩで規定されるデジタル信号を入力するためのデジタルインタフェースを備え、前記アナログインタフェースから入力されるアナログＲＧＢ信号または前記デジタルインタフェースから入力されるデジタル信号のいずれかを切り換え手段により切り換えてその画像を表示面に表示するように構成される表示装置であって、
前記アナログＲＧＢ信号の有無を判断する手段と、
前記デジタル信号の有無を判断する手段と、
前記アナログＲＧＢ信号が有と判断されたときに、前記切り換え手段をアナログＲＧＢ信号に切り換える手段と、
前記デジタル信号が有と判断されたときに、前記切り換え手段をデジタル信号に切り換える手段と、を有し、
前記アナログＲＧＢ信号の有無の判断、および前記デジタル信号の有無の判断は、当該表示装置が使用のために最初に電源がオンされたときにのみ行うとともに、
それらの判断によって切り換えられた状態をメモリに記憶しておき、２回目以降に電源がオンされたときには、前記メモリに記憶された状態と一致するように切り換えて表示する、
ことを特徴とする表示装置。
【図面の簡単な説明】
【００５５】
【図１】本発明に係るコンピュータシステムの構成の例を示す図である。
【図２】表示装置の機能構成の例を示すブロック図である。
【図３】表示装置の制御部の機能構成の例を示すブロック図である。
【図４】同期検出部の動作の様子を説明する図である。
【図５】ＤＤＣ検出部の構成の例を示す図である。
【図６】表示装置における表示制御の手順の例を示すフローチャートである。
【図７】節電モードに入る前の処理の他の例を示すフローチャートである。
【符号の説明】
【００５６】
１  コンピュータシステム
１１  コンピュータ本体
１２  表示装置
３０  制御部
３１  アナログインタフェース
３１ａ  アナログＲＧＢ端子
３２  デジタルインタフェース
３２ａ  ＤＶＩ−Ｄ端子
３３  切換え部
３０１  同期検出部
３０２  ＤＤＣ検出部
３０３  入力判定部
３０４  パワーオンフラグ
３０５  切換メモリ（メモリ）
３０６  節電処理部
ＳＬ  スケーラ
ＭＲ  メモリ
ＨＧ  表示面
Ｓ１  アナログＲＧＢ信号
Ｓ２  デジタル信号
【図１】
2009047940.tif 000003
【図２】
2009047940.tif 000004
【図３】
2009047940.tif 000005
【図４】
2009047940.tif 000006
【図５】
2009047940.tif 000007
【図６】
2009047940.tif 000008
【図７】
2009047940.tif 000009